(57)【要約】      （修正有）【課題】１つで異なるサイズのパンフレット類を収容でき、且つ取り出しにくくなる不都合もなくて、異なるサイズのパンフレット類の入れ替えにも柔軟に対応することができる経済的なパンフレット類用収容ケースを提供する。【解決手段】Ｂ５サイズのパンフレット類ＰＢ５をケース本体３に収容する場合には、支持部材６１に形成された一対の凸部をケース本体３に形成された最下段の一対の支持穴３１ａに嵌合させて、支持部材６１をケース本体３に取り付ける。この際仕切り部材６５が下側を向く状態にする。パンフレット類ＰＢ５をケース本体３に収容すると、パンフレット類ＰＢ５の底部は支持部材６１に支持され、パンフレット類ＰＢ５の上端部分は取り出し口６９に位置する。Ａ５、Ｂ６、Ａ６サイズのパンフレット類をケース本体３に収容する場合には、凸部を支持穴３１ｂ、３１ｃ、３１ｄに嵌合させる。【選択図】図４
0003156947.tif 000002
【実用新案登録請求の範囲】
【請求項１】
ケース本体と、前記ケース本体の上端部分に形成されたパンフレット類の取り出し口とを有するパンフレット類用収容ケースにおいて、前記ケース本体にはケース本体に収容されたパンフレット類の下端部を支持する支持部材と、前記支持部材の取り付け位置をパンフレット類のサイズに応じて変更する取り付け位置変更手段を備えたことを特徴とするパンフレット類用収容ケース。
【請求項２】
請求項１に記載したパンフレット類用収容ケースにおいて、位置変更手段は支持部材に形成された凸部と、ケース本体に形成され前記凸部が嵌合する複数の支持穴によって構成され、前記複数の支持穴はパンフレット類のサイズに対応してケース本体の上下方向に多段に配置されていることを特徴とするパンフレット類用収容ケース。
【請求項３】
請求項１または２に記載したパンフレット類用収容ケースにおいて、支持部材の上下の一方側の面には支持部材に交差する方向へ延びる仕切り部材が設けられ、前記仕切り部材が取り出し口側へ向く状態に前記支持部材を取り付け、前記仕切り部材をケース本体の幅方向へ並んで収容されるパンフレット類の仕切りとして使用することを特徴とするパンフレット類用収容ケース。
【請求項４】
請求項３に記載したパンフレット類用収容ケースにおいて、仕切り部材は支持部材の長さ方向のほぼ中心に備えられていることを特徴とするパンフレット類用収容ケース。
【請求項５】
請求項１から４に記載したパンフレット類用収容ケースにおいて、支持部材は板状体によって構成されていることを特徴とするパンフレット類用収容ケース。
【考案の詳細な説明】
【技術分野】
【０００１】
本考案はパンフレット類用収容ケースに係り、特に店舗等に備えておくパンフレット類用収容ケースに関するものである。
【背景技術】
【０００２】
顧客等に配布するためのパンフレット類を収容して、店舗等に備えるパンフレット類用収容ケースがある。この種のパンフレット類用収容ケースには例えば特許文献１に記載されたものがある。このパンフレット類用収容ケースは、キャリングケースのほか自立スタンドケースとしても用いることができ、店舗等のカウンターの上などに備えておくことができる。このパンフレット類用収容ケースは、立てた姿勢で上端部分に形成された取り出し口からパンフレット類を取り出すようになっている。
【先行技術文献】
【特許文献】
【０００３】
【特許文献１】実用新案登録第３１３０８８１号公報
【考案の概要】
【考案が解決しようとする課題】
【０００４】
しかしながら、上記従来のパンフレット類用収容ケースでは、種々のパンフレットのサイズに対応することができない。即ち、パンフレット類はＡ４、Ｂ５等種々のサイズが混在しており、パンフレット類がパンフレット類用収容ケースより大きいサイズの場合には、パンレット類をケース内に収容することができず、逆にパンフレット類がパンフレット類用収容ケースより小さいサイズの場合には、パンレット類の上端部分がパンフレット類用収容ケースの取り出し口より下に位置することになるので、パンフレット類をケースから取り出しにくくなってしまうことになる。これに対処するためサイズ毎にパンフレット類用収容ケースを準備したのでは不経済であり、また種々のサイズのパンフレット類が混在している以上、異なるサイズのパンフレット類の入れ替えに柔軟に対応することができないという問題点がある。
【０００５】
本考案は上記従来の問題点に着目して為されたものであり、１つで異なるサイズのパンフレット類を収容でき、且つ取り出しにくくなる不都合もなくて、異なるサイズのパンフレット類の入れ替えにも柔軟に対応することができる経済的なパンフレット類用収容ケースを提供することを、その目的とする。
【課題を解決するための手段】
【０００６】
本考案は上記課題を解決するためになされたものであり、請求項１の考案は、ケース本体と、前記ケース本体の上端部分に形成されたパンフレット類の取り出し口とを有するパンフレット類用収容ケースにおいて、前記ケース本体にはケース本体に収容されたパンフレット類の下端部を支持する支持部材と、前記支持部材の取り付け位置をパンフレット類のサイズに応じて変更する取り付け位置変更手段を備えたことを特徴とするパンフレット類用収容ケースである。
【０００７】
請求項２の考案は、請求項１に記載したパンフレット類用収容ケースにおいて、位置変更手段は支持部材に形成された凸部と、ケース本体に形成され前記凸部が嵌合する複数の支持穴によって構成され、前記複数の支持穴はパンフレット類のサイズに対応してケース本体の上下方向に多段に配置されていることを特徴とするパンフレット類用収容ケースである。
【０００８】
請求項３の考案は、請求項１または２に記載したパンフレット類用収容ケースにおいて、支持部材の上下の一方側の面には支持部材に交差する方向へ延びる仕切り部材が設けられ、前記仕切り部材が取り出し口側へ向く状態に前記支持部材を取り付け、前記仕切り部材をケース本体の幅方向へ並んで収容されるパンフレット類の仕切りとして使用することを特徴とするパンフレット類用収容ケースである。
【０００９】
請求項４の考案は、請求項３に記載したパンフレット類用収容ケースにおいて、仕切り部材は支持部材の長さ方向のほぼ中心に備えられていることを特徴とするパンフレット類用収容ケースである。
【００１０】
請求項５の考案は、請求項１から４に記載したパンフレット類用収容ケースにおいて、支持部材は板状体によって構成されていることを特徴とするパンフレット類用収容ケースである。
【考案の効果】
【００１１】
本考案のパンフレット類用収容ケースによれば、１つで異なるサイズのパンフレット類を収容でき、且つ取り出しにくくなる不都合もなくなる。また、異なるサイズのパンフレット類の入れ替えにも柔軟に対応することができ、経済的である。
【図面の簡単な説明】
【００１２】
【図１】本考案の実施の形態に係るパンフレット類用収容ケースの分解斜視図である。
【図２】図１のパンフレット類用収容ケースの背面側からの斜視図である。
【図３】Ａ４サイズのパンフレット類を収容した状態のパンフレット類用収容ケースの正面図である。
【図４】Ｂ５サイズのパンフレット類を収容した状態のパンフレット類用収容ケースの正面図である。
【図５】Ａ４を三つ折にしたサイズのパンフレット類を収容した状態のパンフレット類用収容ケースの正面図である。
【図６】卓上型スタンドに支持された状態のパンフレット類用収容ケースの斜視図である。
【図７】多段型スタンドに支持された状態のパンフレット類用収容ケースの斜視図である。
【考案を実施するための形態】
【００１３】
本考案の実施の形態に係るパンフレット類用収容ケース１を図面にしたがって説明する。
符号３はケース本体を示し、このケース本体３は後側部材５と前側部材７とによって構成されている。
後側部材５の詳細な構成について説明する。
符号１１は背板を示し、この背板１１の下端部の中央部分には切り欠き１３が形成されている。また背板１１の下端部には切り欠き１３を挟んで左右両側に底板１５がそれぞれ設けられており、底板１５は平板部１５ａと、この平板部１５ａの先端から下方に向かって形成された湾曲部１５ｂとからなっている。平板部１５ａには嵌め込み穴１６が形成されている。
【００１４】
背板１１の左右両端部には側板１７がそれぞれ設けられており、左の側板１７は左の底板１５に連続して形成され、また右の側板１７は右の底板１５に連続して形成されている。
後側部材５の前面には開口２１が形成されており、更に後側部材５の上面には、開口２１に連続する開口２３が形成されている。
【００１５】
背板１１には複数の支持穴３１が形成されており、支持穴３１は左右一対として上下方向に４段に配置されている。これらの支持穴３１は全て同一形状、同一サイズのもので構成されているが、支持穴３１を区別するために最下段のものから上に向かって順次３１ａ、３１ｂ、３１ｃ、３１ｄを便宜的に付すこととする。
また、背板１１の左右の両端部の上端部分には嵌め込み穴３３がそれぞれ形成されている。
図２に示すように背板１１の裏面には、後述する多段型スタンド８１の横棒９１に嵌め込まれる嵌め込み部３５が形成されており、また後述する卓上型スタンド７１が取り付けられる取り付け部３７が形成されている。
【００１６】
前側部材７の詳細な構成について説明する。
符号４１は透明プラスチックから成る前板を示し、この前板４１の上端部の中央部分には切り欠き４３が形成されている。前板４１の下端部には底板４５が設けられており、この底板４５の中央部分には後方に向かって突出する凸部４７が形成されている。底板４５の下面の中央部分には嵌合部４９が設けられている。また底板４５の下面には二つの嵌め込み凸部５０が形成されており、これらの嵌め込み凸部５０は前述した嵌め込み穴１６に対応した位置に配置されている。
【００１７】
前板４１の左右両端部には側板５１がそれぞれ設けられており、これらの側板５１は底板４５に連続して形成されている。側板５１の上端部には嵌め込み凸部５３が形成されており、嵌め込み凸部５３は前述した嵌め込み穴３３に対応した位置に配置されている。
前側部材７の後面には開口５５が形成されており、更に前側部材７の上面には、開口５５に連続する開口５７が形成されている。
【００１８】
符号６１は支持部材を示し、この支持部材６１は水平方向へ延びる板状体によって構成されており、支持部材６１はケース本体３内部の幅方向の寸法より僅かに小さい長さ寸法を有している。支持部材６１には後方に向かって突出する一対の凸部６３が形成されており、一対の凸部６３は前述した一対の支持穴３１に対応した位置に配置されている。
取り付け位置変更手段は支持穴３１と凸部６３によって構成されている。
支持部材６１の下面には板状の仕切り部材６５が設けられており、この仕切り部材６５は支持部材６１の長さ方向のほぼ中心に備えられている。仕切り部材６５は支持部材６１に直交する方向へ延びている。
【００１９】
ケース本体３は、後側部材５と前側部材７とを合わせ、嵌め込み凸部５０を嵌め込み穴１６に嵌め込み、嵌め込み凸部５３を嵌め込み穴３３に嵌め込むことで形成される。この状態では嵌合部４９が後側部材５の底部１５間に嵌まり込み、嵌合部４９は底部１５と一体的に連結される。また凸部４７は切り欠き１３に嵌まり込む。
ケース本体３は略箱状で、その上端部分には開口２３、開口５７及び切り欠き４３によって取り出し口６９が形成される。
支持部材６１は、後述するように一対の凸部６３を一対の支持穴３１に嵌合させることで任意の位置に取り付けられる。
【００２０】
次に、パンフレット類用収容ケース１の使用方法について説明する。
図３にＡ４サイズのパンフレット類ＰＡ４をケース本体３に収容する場合を示す。
支持部材６１を用いないでケース本体３のみを使用し、パンフレット類ＰＡ４を取り出し口６９からケース本体３内に入れて、ケース本体３に収容する。パンフレット類ＰＡ４の底部はケース本体３の底板４５に支持され、またパンフレット類ＰＡ４の上端部分は取り出し口６９に位置する。
このようにパンフレット類ＰＡ４の上端部分は取り出し口６９に位置するので、パンフレット類ＰＡ４をケース本体３から容易に取り出すことができる。
また、前述したように前板４１は透明プラスチックによって構成されているので、パンフレット類ＰＡ４をケース本体３の前方から視認できるようになっている。
【００２１】
図４にＢ５サイズのパンフレット類ＰＢ５をケース本体３に収容する場合を示す。
支持部材６１に形成された一対の凸部６３をケース本体３に形成された最下段の一対の支持穴３１ａに嵌合させて、支持部材６１をケース本体３に取り付ける。この際、仕切り部材６５が下側を向く状態にする。そしてパンフレット類ＰＢ５を取り出し口６９からケース本体３内に入れて、ケース本体３に収容する。パンフレット類ＰＢ５の底部は支持部材６１に支持され、またパンフレット類ＰＢ５の上端部分は取り出し口６９に位置する。
このようにパンフレット類ＰＢ５の上端部分は取り出し口６９に位置するので、パンフレット類ＰＢ５をケース本体３から容易に取り出すことができる。
【００２２】
Ａ５サイズのパンフレット類（図示せず）をケース本体３に収容する場合には、上記したＢ５サイズのパンフレット類ＰＢ５をケース本体３に収容する場合と同様に一対の凸部６３を一対の支持穴３１ｂに嵌合させて、支持部材６１をケース本体３に取り付ける。そしてＡ５サイズのパンフレット類を取り出し口６９からケース本体３内に入れて、ケース本体３に収容する。
上記したパンフレット類ＰＢ５をケース本体３に収容する場合と同様にＡ５サイズのパンフレット類の上端部分は取り出し口６９に位置するので、パンフレット類をケース本体３から容易に取り出すことができる。
【００２３】
Ｂ６サイズのパンフレット類（図示せず）をケース本体３に収容する場合には、上記と同様に一対の凸部６３を一対の支持穴３１ｃに嵌合させて、支持部材６１をケース本体３に取り付ける。そして上記と同様にＢ６サイズのパンフレット類をケース本体３に収容する。
Ｂ６サイズのパンフレット類の上端部分は取り出し口６９に位置するので、パンフレット類をケース本体３から容易に取り出すことができる。
【００２４】
Ａ６サイズのパンフレット類（図示せず）をケース本体３に収容する場合には、上記と同様に一対の凸部６３を一対の支持穴３１ｄに嵌合させて、支持部材６１をケース本体３に取り付ける。そして上記と同様にパンフレット類をケース本体３に収容する。この場合にもＡ６サイズのパンフレット類の上端部分は取り出し口６９に位置する。
【００２５】
図５にＡ４を三つ折にしたサイズのパンフレット類ＰＳＬ、ＰＳＲをケース本体３に左右に並べて収容する場合を示す。
仕切り部材６５が上側、即ち取り出し口６９側を向く状態にして、上記と同様に一対の凸部６３を一対の支持穴３１ｂに嵌合させて、支持部材６１をケース本体３に取り付ける。そしてパンフレット類ＰＳＬ、ＰＳＲをケース本体３に収容する際には、仕切り部材６５を挟んで左右両側に配置する。
このように仕切り部材６５があるので、左側のパンフレット類ＰＳＬと右側のパンフレット類ＰＳＲを左右に分けた状態で備えることができる。
【００２６】
図６にパンフレット類用収容ケース１を店舗等のカウンターの上に置く場合を示す。
金属棒から成る卓上型スタンド７１を取り付け部３７に取り付け、同図に示すように卓上型スタンド７１にパンフレット類用収容ケース１を支持させる。これによりパンフレット類用収容ケース１は傾斜姿勢でカウンターの上に設置される。
【００２７】
図７にパンフレット類用収容ケース１を多段に支持する多段型スタンド８１を示す。
同図において符号８３はキャスター付の一対の脚部を示し、これらの脚部８３は互いにある程度離間して配置されている。一対の脚部８３には上方向に垂直に延びる支柱８５がそれぞれ設けられており、これらの支柱８５の上端部、下端部は連結部８７、８９によって連結されている。また支柱８５間には水平に延びる複数の横棒９１が渡設されており、これらの横棒９１は上下方向に等間隔に配置されている。
【００２８】
パンフレット類用収容ケース１の嵌め込み部３５を多段型スタンド８１の横棒９１に嵌め込むことによって、複数のパンフレット類用収容ケース１が傾斜姿勢で、且つ一部分が互いに重なった状態で多段型スタンド８１に多段に支持される。
この状態ではパンフレット類用収容ケース１の上端部が斜め手前方向になる傾斜姿勢になるので、取り出し口６９からパンフレット類ＰＡ４等を取り出し易くなる。
【００２９】
前述したように支持部材６１をパンフレット類のサイズに対応した位置に取り付けることによって、１つのパンフレット類用収容ケース１で異なるサイズのパンフレット類を収容できる。しかも前述したようにＡ４、Ｂ５、Ａ５、Ｂ６、Ａ６のうちどのサイズのパンフレット類をケース本体３に収容した場合でも、パンフレット類の上端部分は取り出し口６９に位置する。従って、パンフレット類をケース本体３から取り出しにくくなる不都合もなくなる。
また、支持部材６１を外したり、支持部材６１の取り付け位置をパンフレット類のサイズに応じて適宜変更したりするだけで、異なるサイズのパンフレット類の入れ替えにも柔軟に対応することができる。従って、サイズ毎に異なるパンフレット類用収容ケースを準備する必要がなく経済的である。
【００３０】
以上、本考案の実施の形態について詳述してきたが、具体的構成は、この実施の形態に限られるものではなく、本考案の要旨を逸脱しない範囲における設計の変更などがあっても考案に含まれる。
上記実施の形態では、支持穴３１を上下方向に４段に配置したが、支持穴３１を３段以下または５段以上配置してもよい。
上記実施の形態では、支持部材６１に一対の凸部６３を形成したが、凸部６３の数を適宜変更してもよい。この場合には支持穴３１の数も適宜変更する。
【００３１】
上記実施の形態では、ケース本体３を後側部材５と前側部材７とによって構成し、後側部材５と前側部材７とを合わせて形成したが、例えばケース本体３を後側部材５と前側部材７とが一体になったもので構成してもよい。
上記実施の形態では、仕切り部材６５を支持部材６１に直交する方向へ延びるように形成したが、仕切り部材６５の延びる方向は支持部材６１に直交する方向に限定されない。
【産業上の利用可能性】
【００３２】
本考案は、パンフレット類を収容するパンフレット類用収容ケースの製造業に利用可能である。
【符号の説明】
【００３３】
１…パンフレット類用収容ケース      ３…ケース本体      ５…後側部材
７…前側部材      １１…背板      １３…切り欠き
１５…底板      １５ａ…平板部      １５ｂ…湾曲部
１６…嵌め込み穴      １７…側板      ２１、２３…開口
３１（３１ａ、３１ｂ、３１ｃ、３１ｄ）…支持穴      ３３…嵌め込み穴
３５…嵌め込み部      ３７…取り付け部
４１…前板      ４３…切り欠き      ４５…底板
４７…凸部      ４９…嵌合部      ５０…嵌め込み凸部
５１…側板      ５３…嵌め込み凸部      ５５、５７…開口
６１…支持部材      ６３…凸部      ６５…仕切り部材
６９…取り出し口      ７１…卓上型スタンド
８１…多段型スタンド      ８３…脚部      ８５…支柱
８７、８９…連結部      ９１…横棒
ＰＡ４…Ａ４サイズのパンフレット類
ＰＢ５…Ｂ５サイズのパンフレット類
ＰＳＬ、ＰＳＲ…Ａ４を三つ折にしたサイズのパンフレット類
【図１】
0003156947.tif 000003
【図２】
0003156947.tif 000004
【図３】
0003156947.tif 000005
【図４】
0003156947.tif 000006
【図５】
0003156947.tif 000007
【図６】
0003156947.tif 000008
【図７】
0003156947.tif 000009
【手続補正書】
【提出日】平成21年11月16日(2009.11.16)
【手続補正１】
【補正対象書類名】実用新案登録請求の範囲
【補正対象項目名】全文
【補正方法】変更
【補正の内容】
【実用新案登録請求の範囲】
【請求項１】
ケース本体と、前記ケース本体の上端部分に形成されたパンフレット類の取り出し口とを有するパンフレット類用収容ケースにおいて、前記ケース本体にはケース本体に収容されたパンフレット類の下端部を支持する支持部材と、前記支持部材の取り付け位置をパンフレット類のサイズに応じて変更する取り付け位置変更手段を備えたことを特徴とするパンフレット類用収容ケース。
【請求項２】
請求項１に記載したパンフレット類用収容ケースにおいて、位置変更手段は支持部材に形成された凸部と、ケース本体に形成され前記凸部が嵌合する複数の支持穴によって構成され、前記複数の支持穴はパンフレット類のサイズに対応してケース本体の上下方向に多段に配置されていることを特徴とするパンフレット類用収容ケース。
【請求項３】
請求項１または２に記載したパンフレット類用収容ケースにおいて、支持部材の上下の一方側の面には支持部材に交差する方向へ延びる仕切り部材が設けられ、前記仕切り部材が取り出し口側へ向く状態に前記支持部材を取り付け、前記仕切り部材をケース本体の幅方向へ並んで収容されるパンフレット類の仕切りとして使用することを特徴とするパンフレット類用収容ケース。
【請求項４】
請求項３に記載したパンフレット類用収容ケースにおいて、仕切り部材は支持部材の長さ方向のほぼ中心に備えられていることを特徴とするパンフレット類用収容ケース。
【請求項５】
請求項１から４のいずれかに記載したパンフレット類用収容ケースにおいて、支持部材は板状体によって構成されていることを特徴とするパンフレット類用収容ケース。
【手続補正２】
【補正対象書類名】明細書
【補正対象項目名】００１０
【補正方法】変更
【補正の内容】
【００１０】
請求項５の考案は、請求項１から４のいずれかに記載したパンフレット類用収容ケースにおいて、支持部材は板状体によって構成されていることを特徴とするパンフレット類用収容ケースである。